(57)【要約】      （修正有）【課題】歯ブラシは使用していると毛先が曲がって広がり歯磨き効果がなくなってしまうため、毛先を外側だけでなく横方向にも曲げず真直ぐにする必要がある。【解決手段】挟み口２の両内部面に挟み込む方向に沿って多数の細い直線状の突起や溝を設けたクリップ１により、歯ブラシ４の植毛台８背部方向から植毛部６の柄の長さ方向の根元部７を両側から挟み込むことによって、クリップ１の挟み口２はクリップ１の閉じる力で植毛台８に固定された植毛６の根元７から軟らかい毛先９の方向に向かって滑って進み、毛先９は挟み口２内部面の直線状の突起や溝により真直ぐにガイドされ、植毛台８背部がクリップ１内の奥壁部１０に当たって止まることにより真直ぐに挟まれた状態で保持され、毛先が外側だけでなく横方向、すなわち柄の長さ方向にも曲がらず真直ぐに矯正することができる。【選択図】図１
2008307344.tif 000002
【特許請求の範囲】
【請求項１】
挟み口の両内部面に挟み込む方向に沿って多数の細い直線状の突起や溝を設けたクリップにより、歯ブラシの植毛台背部方向から植毛部の柄の長さ方向の根元部を両側から挟み込むことによって、クリップの挟み口はクリップの閉じる力で植毛台に固定された植毛の根元から軟らかい毛先の方向に向かって滑って進み、毛先は挟み口内部面の直線状の突起や溝により真直ぐにガイドされ、植毛台背部がクリップ内の奥壁部に当たって止まることにより真直ぐに挟まれた状態で保持され、毛先が外側だけでなく横方向、すなわち柄の長さ方向にも曲がらず真直ぐに矯正できることを特徴とする毛先矯正クリップ。
【請求項２】
前記の、毛先矯正クリップの材質には、熱湯などの高温にも十分耐えられるような熱に強い樹脂や金属などを使用し、歯ブラシの毛先を毛先矯正クリップに真直ぐに挟んだままの状態で熱湯や蒸気、熱風などを掛けて高熱処理をすることにより、毛先を真直ぐにする矯正効果を一段と高めるとともに、併せて殺菌効果を得られることを特徴とする毛先矯正クリップ。
【発明の詳細な説明】
【技術分野】
【０００１】  本発明は、歯ブラシの毛先が外側や横方向に曲がって広がらないようにするとともに、曲がって広がってしまった毛先も、真直ぐに矯正して歯磨き効果を維持し、歯ブラシが長く使用できるようにすることを目的とする、歯ブラシ用の毛先矯正クリップに関する。
【背景技術】
【０００２】  歯ブラシの柄の先端部にある植毛台と植毛をカバーする歯ブラシカバーや毛先矯正具などには、毛先部分を狭くしたり挟んだりして植毛部を両側から押さえるものはいろいろあるが、歯ブラシの植毛部を側面から押すだけでは毛先の横方向、すなわち柄の長さ方向に対する矯正はできず、逆に曲がった毛先をさらに横に曲げて広げてしまい、毛先を真直ぐに矯正するどころか逆効果となっている。
【発明の開示】
【発明が解決しようとする課題】
【０００３】  歯ブラシは少し使用していると、すぐに毛先が外側や横方向に曲がって広がってしまい、歯磨きをしても歯磨きの効果はほとんどなくなってしまう。【０００４】  歯ブラシの柄の先端部にある植毛台と植毛をカバーする歯ブラシカバーや毛先矯正具などには、毛先部分を狭くしたり挟んだりして植毛部を両側から押さえるものはあるが、歯ブラシの植毛部を側面からただ押すだけでは毛先の横方向、すなわち柄の長さ方向に対する矯正はできず、逆に毛先を横に曲げて広げてしまい、毛先を真直ぐに矯正するどころか逆効果となっており、毛先を外側だけでなく横方向にも曲げず真直ぐにする必要がある。【０００５】  毛先が広がって歯磨き効果のなくなった歯ブラシは毛先を矯正されることなく、材料比率の大きい柄の部分も含めゴミとして廃棄されており、その個単位は少量であるが全消費量を考えると大きな資源の無駄となっている。【０００６】  歯ブラシは廃棄される度に、その都度新しい歯ブラシに買い換えられており、その買い替えによる経費負担や購買の手間も、全体としては大きなものとなっている。
【課題を解決するための手段】
【０００７】  挟み口の両内部面に挟み込む方向に沿って多数の細い直線状の突起や溝を設けたクリップにより、歯ブラシの植毛台背部方向から植毛部の柄の長さ方向の根元部を両側から挟み込むことによって、クリップの挟み口はクリップの閉じる力で植毛台に固定された植毛の根元から軟らかい毛先の方向に向かって滑って進み、毛先は挟み口内部面の直線状の突起や溝により真直ぐにガイドされ、植毛台背部がクリップ内の奥壁部に当たって止まることにより真直ぐに挟まれた状態で保持され、毛先が外側だけでなく横方向、すなわち柄の長さ方向にも曲がらず真直ぐに矯正できるようにする。【０００８】  髪の毛を真直ぐに整えるときに毛の根元から櫛でとかすように、クリップの挟み口内部面の直線状の突起を櫛の歯として、歯ブラシの植毛部の根元にあてて挟み、クリップの閉じる力を利用して植毛部を真直ぐにとかすことにより、毛先が外側だけでなく横方向にも曲がらず真直ぐに保持され矯正することができるようにする。【０００９】  歯ブラシの植毛部には、歯磨きをするたびに歯や歯茎の圧力が毛先から根元方向に加わり、毛先は常に植毛部全体から見て外側に広げられるので、矯正時には植毛を真直ぐなままで植毛部全体から見て少し内傾斜にして保持しておく必要がある。【００１０】  前記の、毛先矯正クリップの材質には、熱湯などの高温にも十分耐えられるような熱に強い樹脂や金属などを使用し、歯ブラシの毛先を毛先矯正クリップに真直ぐに挟んだままの状態で熱湯や蒸気、熱風などを掛けて高熱処理をすることにより、毛先を真直ぐにする矯正効果を一段と高められるようにする。【００１１】  前記の、毛先矯正クリップに抗菌処理を施すことにより、口内雑菌をはじめいろいろな雑菌が付着しやすい歯ブラシの植毛や植毛台などに対する雑菌の増殖を防止する。
【発明の効果】
【００１２】  挟み口の両内部面に挟み込む方向に沿って多数の細い直線状の突起や溝を設けたクリップにより、歯ブラシの植毛台背部方向から植毛部の柄の長さ方向の根元部を両側から挟み込むことによって、クリップの挟み口はクリップの閉じる力で植毛台に固定された植毛の根元から軟らかい毛先の方向に向かって滑って進み、毛先は挟み口内部面の直線状の突起や溝により真直ぐにガイドされ、植毛台背部がクリップ内の奥壁部に当たって止まることにより真直ぐに挟まれた状態で保持され、毛先が外側だけでなく横方向、すなわち柄の長さ方向にも曲がらず真直ぐに矯正することができる。【００１３】  髪の毛を真直ぐに整えるときに毛の根元から櫛でとかすように、クリップの挟み口内部面の直線状の突起を櫛の歯として、歯ブラシの植毛部の根元にあてて挟み、クリップの閉じる力を利用して植毛部を真直ぐにとかすことにより、毛先が外側だけでなく横方向にも曲がらず真直ぐに保持され矯正することができる。【００１４】  前記の、毛先矯正クリップを使用することにより、毛先が外側や横方向に曲がって広がることがないので、常に歯ブラシを毛先の真直ぐな新品の状態で使用することができ、歯磨きの効果を長期間継続して得ることができる。【００１５】  従来は、毛先が広がって歯磨き効果のなくなった歯ブラシは毛先を矯正されることなく、材料比率の大きい柄の部分も含めゴミとして廃棄されており、その個単位は少量であるが全消費量を考えると大きな資源の無駄となっていたが、前記の毛先矯正クリップを使用することにより歯ブラシを長く使用することができる。【００１６】  従来は、歯ブラシが廃棄される度に、その都度新しい歯ブラシに買い換えられており、その買い替えによる経費負担や購買の手間も、全体としては大きなものとなっていたが、前記の毛先矯正クリップは構造も簡単で材料費も掛からず製造コストが安いので安価に購入でき、しかも半永久的に使用出来るので大変経済的である。【００１７】  前記の、毛先矯正クリップの材質には、熱湯などの高温にも十分耐えられるような熱に強い樹脂や金属などを使用し、歯ブラシの毛先を毛先矯正クリップに真直ぐに挟んだままの状態で熱湯や蒸気、熱風などを掛けて高熱処理をすることにより、毛先を真直ぐにする矯正効果を一段と高めるとともに、併せて殺菌効果も得ることができる。【００１８】  前記の、毛先矯正クリップに抗菌処理を施すことにより、口内雑菌をはじめいろいろな雑菌が付着しやすい歯ブラシの植毛や植毛台などに対して、雑菌の増殖を防止することができる。
【発明を実施するための最良の形態】
【００１９】  以下、図を参照しながら本発明の実施形態を説明する。【００２０】  図１は、毛先矯正クリップ１内に歯ブラシ４が収納された状態を、柄１５の長さ方向の上部から見た図で、図２は、挟み口２を図１の矢印Ａの方向から見た拡大図で、挟み口２内部面の突起や溝３の形状の一例を示したもので、図３は、図１の毛先矯正クリップ１内に歯ブラシ４が収納された状態を図１の矢印Ｂ方向の側部から透視して見た図である。【００２１】  図１のクリップ１の挟み口２の両内部面に、挟み込む方向に沿って図２のような多数の細い直線状の突起や溝３を設けたクリップ１により、歯ブラシ４の植毛台背部５方向から植毛６部の長方向の根元７部を両側から挟み込むことによって、クリップ１の挟み口２はクリップ１の閉じる力で植毛台８に固定された植毛６の根元７から軟らかい毛先９の方向に向かって滑って進み、毛先９は挟み口２内部面の直線状の突起や溝３により真直ぐにガイドされ、植毛台背部５がクリップ１内の奥壁１０部に当たって止まるとともに、クリップ１の分割されている奥壁１０部が互いにぶつかり合い、挟み口２を少し開いた状態で止まることにより毛先９は必要以上に潰されることなく、適当な間隔を保って真直ぐに挟まれた状態で保持され、毛先９が外側だけでなく横方向にも曲がらず真直ぐに矯正できるようにする。【００２２】  図２の多数の突起や溝３の形状は、歯ブラシ４の植毛６部の形状の違いに応じて、突起や溝３の大きさや形などのデザインを変えたり、さらに、植毛６部における柄１５の長さ方向に対する上下両端の毛先９に対し、上下方向への広がりを防止するために、上下両端部分に当たる挟み口２内部面の直線状の突起や溝３の向きを、クリップ１内部から外に向かって狭める形状にすることにより、保持される毛先９を狭めて、上下方向への毛先９の広がりをより強く防止することができる。【００２３】  図４は、毛先矯正クリップ１の挟み口２を開いて、歯ブラシ４を植毛台背部５の方から挿入しようとする状態を示し、図５は、歯ブラシ４を植毛台背部５からクリップ１内に挿入して、挟み口２で植毛６部の根元７を挟んだ状態を示し、図６は、クリップ１の閉じる力で歯ブラシ４がクリップ１内の奥壁１０に向かって滑って進んでいる状態を示し、最後に毛先９を真直ぐに保持した状態を図１に示す。【００２４】  クリップ１内部の奥壁１０に向かって進む歯ブラシ４の植毛６部の両側面には、挟み口２により均等な力が掛かるので歯ブラシ４は真直ぐな状態で進むが、奥壁１０面に植毛台背部５の形状に合わせたへこみを付けることで、奥壁１０面に達した植毛台背部５はより正確に真直ぐな状態でクリップ１内に保持される。【００２５】  図７は、図１におけるクリップ１と形状が異なるＣ型クリップ１１の実施形態で、Ｃ型クリップ１１は半筒状のＣ字形の断面で挟み口２を少し開いた形状をしており、指挟持部１２もなく巻スプリング１３も使用せず、その材質と形状によりそれ自体がクッション性のあるスプリング機能になっており、歯ブラシ４の植毛台背部５により開口１４を押し開けて挟み口２部を通りＣ型クリップ１１内部に差し込むことにより、Ｃ型クリップ１１自体の閉じる力で歯ブラシ４はＣ型クリップ１１内に引き込まれ、クリ���プ１と同様に挟み口２の内部面の細い直線状の突起や溝３によって毛先９を外側だけでなく横方向、すなわち柄１５の長さ方向にも曲がらせず真直ぐに矯正される。【００２６】  図７のＣ型クリップ１１の内側面に挟み込む方向に沿った多数の細い直線状の突起や溝３をＣ型クリップ１１内部面全体にも連続させることにより、保持している歯ブラシ４をＣ型クリップ１１から取り出すとき、歯ブラシ４をＣ型クリップ１１の内部で半回転させて植毛台背部５の方から開口１４を通してよりスムーズに引出すことができる。【００２７】  図８は、図１のクリップ１の挟み口２を開いて植毛６の根元７を挟むときに、歯ブラシ４が奥に入り過ぎず的確に根元７を挟むために、巻きスプリング１３よりも反発力の弱い板スプリング１６を使用したもので、板スプリング１６の一端を指挟持部１２の裏側の端に固定し、胴体部分にたわみを持たせて奥壁１０の一部を開放して通し、クリップ１の内部に入った稼動可能なもう一端をＬ字形に曲げ、その背部面に植毛台背部５が当たって、歯ブラシ４がそれ以上内部に入り過ぎないようにし、挟み口２を閉めると板スプリング１６のＬ字形の背面部が稼動して奥に引っ込み、歯ブラシ４がクリップ１の内部に入りしっかりと保持できるようにしたものである。【００２８】  クリップ１及びＣ型クリップ１１の材質には、熱湯などの高温にも十分耐えられるような熱に強い樹脂や金属などを使用し、歯ブラシ４の毛先９を毛先矯正クリップ１及びＣ型クリップ１１に真直ぐに挟んだままの状態で熱湯や蒸気、熱風などを掛けて高熱処理をすることにより、毛先９を真直ぐにする矯正効果を一段と高めるようにする。【００２９】  図に示してはいないが、クリップ１及びＣ型クリップ１１などにおいて、ともに内部に収納された歯ブラシ４の植毛６部分や植毛台８が乾燥しやすいように、挟み口２以外の曲側面にいろいろな形状の通気口を設けることは通常実施されることである。【００３０】  クリップ１及びＣ型クリップ１１の毛先矯正クリップに抗菌処理を施すことにより、口内雑菌をはじめいろいろな雑菌が付着しやすい歯ブラシ４の植毛６や植毛台８などに対して、雑菌の増殖を防止することができるようにする。【００３１】  クリップ１及びＣ型クリップ１１はともに、歯ブラシ４の植毛６を収納し保持したままの状態で、歯ブラシ４の柄１５の方を上にして平台に立てたり、横にしたりすることができるので、歯ブラシ４ケースやカバーなどがなくても、植毛６部などを平台などに接触させずに清潔に保つことができる。
【産業上の利用可能性】
【００３２】  本発明は、歯ブラシの毛先が外側や横方向に曲がって広がらないようにするとともに、曲がって広がってしまった毛先も真直ぐに矯正して歯磨き効果を維持し、歯ブラシを長く使用できるようにすることを目的とする、歯ブラシ用の毛先矯正クリップを提供できる。
【図面の簡単な説明】
【００３３】
【図１】  クリップ１に歯ブラシ４が挿入され保持された状態を柄１５の上部から見た図
【図２】  図１の挟み口２を矢印Ａの方向から見た突起や溝３の形状の一例を示した拡大図
【図３】  図１を矢印Ｂの側面方向からクリップ１を透視して見た歯ブラシ４の図
【図４】  図１のクリップ１を開いて歯ブラシ４を入れる前の状態を上部から見た図
【図５】  図４に続き、クリップ１の挟み口２で植毛６の根元７を挟んだ図
【図６】  図５に続き、クリップ１内に歯ブラシ４が滑り込んでいる途中の図
【図７】  Ｃ型クリップ１１に歯ブラシ４が挿入され保持された状態を上部から見た図
【図８】  図５のクリップ１に板スプリング１６を取付けた状態の図
【図９】  図１のクリップ１に板スプリング１６を取付けた状態の図
【符号の説明】
【００３４】    １  クリップ
２  挟み口
３  突起や溝
４  歯ブラシ
５  植毛台背部
６  植毛
７  根元
８  植毛台
９  毛先
１０  奥壁
１１  Ｃ型クリップ
１２  指挟持部
１３  巻スプリング
１４  開口
１５  柄
１６  板スプリング
【図１】
2008307344.tif 000003
【図２】
2008307344.tif 000004
【図３】
2008307344.tif 000005
【図４】
2008307344.tif 000006
【図５】
2008307344.tif 000007
【図６】
2008307344.tif 000008
【図７】
2008307344.tif 000009
【図８】
2008307344.tif 000010
【図９】
2008307344.tif 000011